(57)【要約】【課題】  巻き癖がつかずに、糸を解くことができる簡単な構成の糸収容具を提供する。【解決手段】  本体部２を内部が中空に形成し、その周壁６の内周面の横断面形状を円形に形成し、前記横断面形状が本体部２の長さ方向に沿って連続している。即ち、円筒状に形成している。本体部２の内周面に、その横断面形状に沿いつつ、糸１４を、本体部２の長さ方向に沿って本体部の一端側から他端側に巻回してある。【選択図】  図１
2019062875.tif 000002
【特許請求の範囲】
【請求項１】
内部が中空に形成され、その内周面の横断面形状が閉曲面に形成され、前記横断面形状が長さ方向に沿って連続している本体部を有する収容部と、
前記本体部の内周面の形状に対応した環を形成しつつ、前記本体部の一端側から他端側まで巻回された糸とを、
有する糸収容具。
【請求項２】
請求項１記載の糸収容具において、前記閉曲面がほぼ、円、楕円、小判、８の字または瓢箪型である糸収容具。
【請求項３】
請求項１または２記載の糸収容具において、前記本体部内に前記糸の案内部材を設けた糸収容具。
【請求項４】
請求項１乃至３いずれか記載の糸収容具において、前記閉曲面の大きさが、前記長さ方向に沿って、一様であるか、前記本体部の一端から他端に向かって増加または減少している糸収容具。
【請求項５】
請求項１乃至４いずれか記載の糸収容具において、前記糸は、多重に重ねて巻回されている糸収容具。
【請求項６】
請求項１乃至５いずれか記載の糸収容具において、前記本体部の内周面に沿って、前記糸が収容される溝が形成されている糸収容具。
【請求項７】
請求項１乃至６いずれか記載の糸収容具において、前記本体部内に、前記糸の環の内側に位置するように糸係止部材を設けた糸収容具。
【請求項８】
請求項７記載の糸収容具において、前記糸係止部材が着脱自在に前記本体部に設けられた糸収容具。
【請求項９】
請求項１乃至８いずれか記載の糸収容具において、前記糸の引き出し口が前記本体部の長さ方向に交差する方向に前記収容部に設けられた糸収容具。
【請求項１０】
請求項１乃至５及び請求項７乃至９いずれか記載の糸収容具において、前記本体部の内周面のほぼ全域にその内周面形状に対応して低反発部材を設け、前記糸は、その環が前記低反発部材に接触して巻回されている糸収容具。
【発明の詳細な説明】
【技術分野】
【０００１】
本発明は、糸、例えば釣り糸を収容する糸収容部に関する。
【背景技術】
【０００２】
解いた糸に巻き癖がつかない糸収容具としては、例えば特許文献1に開示されたようなものがある。特許文献1の技術によれば、長方形状の上壁と下壁が互いに平行に配置され、上壁及び下壁の一方の端部が端壁によって結合され、他方の端部が開放端部とされている。上壁の内面に下壁に向かって短円筒状部が設けられ、下壁の内面に、上壁に向かって突出して短円筒状部が設けられている。これら短円筒状部間に、８の字に巻かれた糸を、その交差部分で２つに折り曲げて、２つの環を形成し、一方の環を上壁側の円筒状部にかけ、他方の環を下壁側の円筒状部にかけ、折り曲げた部分が端壁側に位置するように配置している。
【先行技術文献】
【特許文献】
【０００３】
【特許文献１】特許第３８９９１１７号
【発明の概要】
【発明が解決しようとする課題】
【０００４】
特許文献１の技術によれば、８の字に巻かれた糸を解くので、糸に巻き癖がつくことがない。しかし、上壁、下壁及び端壁が必要で、上壁及び下壁には、それぞれ短円筒状部を設けなければならず、その構成が複雑である。その上、糸を８の字に巻く必要があり、その作業が面倒であった。
【０００５】
本発明は、巻き癖がつかずに、糸を解くことができ、その上に構成が簡単で、糸も予め巻いておく必要の無い糸収容具を提供することを目的とする。
【課題を解決するための手段】
【０００６】
本発明の一態様の糸収容具は、収容部を有し、収容部は本体部を有している。本体部は、内部が中空に形成され、その内周面の横断面形状が閉曲面に形成され、前記横断面形状が長さ方向に沿って連続している。閉曲面としては、例えば円、楕円、小判または瓢箪型にほぼなるものを使用することができる。本体部は、その両端が開放されたものを使用することもできるし、一端が閉じられ、他端が開放されたものを使用することもできるし、両端が閉じられたものを使用することもできる。本体部の端を閉じる場合、本体部の端を閉じる部材と一体に形成して閉じることもできるし、本体部と別に形成した覆いを本体部に取り付けて閉じることもできる。本体部の内周面の横断面形状に対応した環を形成しつつ、本体部の一端側から他端側まで糸が本体部内に巻回されている。糸は、環それぞれが接した状態で巻くこともできるし、各環が間隔をおいて位置するように巻くこともできる。糸は、本体部の一端から他端まで完全に巻く必要はなく、例えば一端から他端の近傍まで巻くことができる。糸としては、種々のものを使用することができ、例えば号数の大きい釣り糸のように直線状から曲げた場合に元の直線状態に戻ろうとする弾性力もしくは反発力を有するものを使用することができるし、号数の小さい弾性力若しくは反発力の小さい糸も使用することができる。糸の解きは、一端側からでも、他端側からでも行うことができる。
【０００７】
このように構成された糸収容具では、本体部の閉曲面である内周面の形状に対応した環を形成しつつ巻かれた糸は、本体部の内周面に沿わせるために強制的な力は糸に加わっておらず、解いたとき糸には巻き癖がついていない。しかも、本体部は、その内周面が閉曲面に構成されているだけで、その内部に特別な構成要素は無く、構成が簡単であり、その製造が容易である。また、本体部に収容される糸は、予め８の字状に巻いておく必要がなく、その８の字状の糸を折り曲げてから収容する必要もなく、糸の収容作業も容易になる。
【０００８】
また、上述したように閉曲面は、種々の形状とすることができ、例えば円、楕円、小判または瓢箪型にほぼなるものを使用することができるので、収容しようとする糸の量に応じた適切な閉曲面を選択することができる。
【０００９】
前記本体部内に前記糸の案内部材を設けることもできる。案内部材としては、本体部内周面に巻かれた糸の各環に外周面が接近しているものを使用することができる。案内部材を設けると、糸を解くときに、糸が案内部材に案内されるので、円滑に解くことができるし、仮に糸の環が本体部に内周面から外れて本体部の長さ方向に移動しようとした場合でも、移動しようとした糸は案内部材に接触し、それ以上の移動が阻止される。
【００１０】
前記閉曲面の大きさが、前記長さ方向に沿って、一様としたり、前記本体部の一端から他端に向かって増加または減少したりしている形状とすることもできる。例えば閉曲面が一様と仮定すると、本体部の内周面は円筒状となり、本体部の一端から他端に向かって増加または減少すると仮定すると、本体部の内周面は円錐台状または逆円錐台状となる。内周面が一様な場合には、糸を解きやすく、内周面の大きさが増減する場合、増減した内周面のうち最も小さい内周面と同じ大きさの一様な内周面のものよりも多くの糸を巻回することができる
【００１１】
前記糸を、多重に、例えば二重とか三重に重ねて巻回することもできる。重ねて巻回する場合、糸は並行巻きとすることが望ましい。このように多重に巻回すると、本体部に収容する糸の長さを、内周面を大きくしなくても、増加させることができる。
【００１２】
前記本体部の内周面に沿って、前記糸が収容される溝を形成することもできる。この溝は、内周面の一方の端側から他方の端側まで形成することが望ましい。このように溝を形成し、この溝に糸を接触させると、糸を巻きやすくなる上に、巻いた状態で、糸が本体部の長さ方向に移動することを防止することができる。
【００１３】
前記本体部内に、前記糸の環の内側に位置するように糸係止部材を設けることもできる。このように構成すると、糸の環が本体部に内周面から外れて本体部の長さ方向に移動しようとした場合でも、移動しようとした糸は案内部材に接触し、それ以上の移動が阻止される。前記糸係止部材を着脱自在に前記本体部に設けることもでき、この場合、例えば本体部内周面に糸を巻いていく最中に、糸が長さ方向に移動することを防止でき、糸が絡み合うことを防止できる。
【００１４】
前記糸の引き出し口を前記本体部の長さ方向に交差する方向に前記本体部に設けることもできる。糸を本体部の長さ方向に交差する方向に引くと、糸の環を解きやすく、容易に糸を引き出すことができる。
【００１５】
前記本体部の内周面のほぼ全域にその内周面形状に対応して低反発部材を設け、前記糸を、その環が前記低反発部材に接触するように巻回することもできる。この場合、本体部は、剛性のある材料製とすることが望ましい。このように構成すると、糸が反発力もしくは弾性力が大きい場合には、糸が広がって低反発部材を押しても、大きな反発力を糸は受けず、解いたときに、糸にはより巻き癖がつかない。
【発明の効果】
【００１６】
以上のように、本発明によれば、解いた糸に巻き癖がつかず、糸収容具自体の構成を簡略化することができるし、糸も８の字のような特殊な形に巻く必要がない。
【図面の簡単な説明】
【００１７】
【図１】本発明の第1の実施形態の糸収容具の横断平面図及び縦断正面図である。
【図２】図1の縦断正面図の部分拡大図である。
【図３】本発明の第２の実施形態の糸収容具の縦断正面図である。
【図４】本発明の第３の実施形態の糸収容具の本体部の縦断正面図である。
【図５】本発明の第４の実施形態の糸収容具の本体部の縦断正面図である。
【図６】本発明の第５の実施形態の糸収容具の本体部の部分省略縦断正面図である。
【図７】本発明の第６の実施形態の糸収容具の本体部の部分省略縦断正面図である。
【図８】本発明の第７の実施形態の糸収容具の縦断正面図である。
【図９】本発明の第８の実施形態の糸収容具の本体部の縦断正面図である。
【図１０】本発明の第９の実施形態の糸収容具の収容部の部分省略縦断面図である。
【図１１】本発明の第１０の実施形態の糸収容具の縦断正面図である。
【図１２】本発明の第１１の実施形態の糸収容具の平面図及び銃弾正面図である。
【図１３】本発明における糸収容具の本体部の他の変形例の平面図である。
【発明を実施するための形態】
【００１８】
本発明の第１の実施形態の糸収容具は、例えば釣り糸を収容するためのもので、図１（ａ）、（ｂ）に示すように、本体部２を有している。本体部２は、図１（ｂ）に示すように、一端、例えば下端に円形の底壁４を有している。その底壁４の周面全域から、他端、例えば上端に向かって例えば円筒状の周壁６が伸びている。本体部２の上端は、開口されている。従って、本体部２は、閉曲面、例えば図１（ａ）に示すように、円形の内周面を有している。本体部２は、その内部に配置された後述する円形に巻かれた糸が、その糸の弾性力若しくは反発力によって円の径を増加させるように変形した場合でも、本体部２自身が変形することがない程度の剛性を有し、例えば合成樹脂によって構成することができる。
【００１９】
本体部２の上部開口は、蓋８によって閉じられている。蓋８は、本体部２の上端部に接触している円環状部８ａの上端全周囲から、さらに上方に笠状部８ｂが隆起したものである。本体部２と蓋８とによって収容部が構成されている。
【００２０】
蓋８の中央には、糸の引き出し口１０が形成され、本体部２の底壁４の中央には、糸の抜け止め用の孔１２が形成されている。図１（ｂ）に示すように、抜け止め用の孔１２から外部に引き出されて抜け止めとなるように一端が結ばれた糸、例えば釣り糸１４が、図１（ａ）に示すように本体部２の周壁６の内周面に沿って円形に、かつ図１（ｂ）に示すように底壁４から、周壁６の上端の近傍まで連続的に巻回されて、円形の多数の環を形成し、各環が互いに接触した状態で巻回されている。釣り糸１４は、この実施形態では、図２に拡大して示すように、周壁６に接触しており、かつ周壁６に対して整列させた状態で各環を平行に巻回してある。釣り糸１４としては、この実施形態では、円形に巻いた状態で放置すると、その径を広げるように膨張する弾性力若しくは反発力を有するものが使用されている。釣り糸１４は、周壁６の内周面に沿いつつ、下端部から上端部近傍まで本体部２内に巻いてもよいし、周壁６の内周面に沿いつつ一端から他端まで連続するように予め巻いておいて、これを本体部２内に収容するようにしてもよい。
【００２１】
周壁６の内周面に沿って円形に巻回された糸の底壁４側にある一端は、底壁４の抜け止め用孔１２から底壁４の外部に引き出され、その一端が結ばれて、その結び目が抜け止め用孔１２に係合して、抜け止めとされる。周壁６の上端側にある他端は、蓋８の引き出し口１０から外部に引き出されている。この引き出されている端部をさらに外方に引くことによって、周壁６の内周面に沿って円形に巻かれている釣り糸１４の環が順に解かれて、外部に引き出される。
【００２２】
このように構成された糸収容具では、釣り糸１４は、周壁６の円形である内周面に接触するように円形に巻かれ、複数の円形の環を形成している。釣り糸１４の弾性力もしくは反発力によって本体部２内では、各環は、広がろうとするが、周壁６の内周面に接触しているので、それ以上広がることはなく、巻かれた糸の各環の径は、周壁６の内径以上に大きくなることは無く、周壁６の内周面に円形に巻かれた状態を維持し、周壁６の一端側や他端側に移動することはない。従って、釣り糸１４を解くときに、釣り糸１４の解かれつつある部分が、まだ解かれていない糸の部分と絡むことなく、円滑に釣り糸１４を解くことができる。しかも、釣り糸１４は円形である内周面に沿って巻回され、釣り糸１４を周壁６の内周面に沿わせるために釣り糸１４に外部から強制的な力は加わっていない。従って、解いた釣り糸１４には巻き癖がついていない。
【００２３】
上記の説明では、釣り糸１４として、弾性力若しくは反発力の大きい号数の大きいものを使用したが、弾性力若しくは反発力の小さい号数の小さいものを使用することもできる。この場合、釣り糸１４の各環は、弾性力若しくは反発力が小さいので、周壁６の内周面に押し付けられず、逆に周壁６の内周面から離れた状態で、本体部２内に位置することもあるし、各環の径が不ぞろいになったり、上側にある環の一部が下側にある環の内部に入った状態になったりすることもある。その場合でも、釣り糸１４を解くと、釣り糸１４には巻き癖はついていない。また、どのような号数の釣り糸を収容した場合でも、本体部２は簡単な構成であり、その製造が容易であるし、釣り糸１４は８の字状に巻いて折り曲げてから本体部２内に収容する必要もない。
【００２４】
第２の実施形態の糸収容具を図３に示す。図３では、本体部２の内部に、釣り糸１４を引き出す際の案内となる案内部材１６が配置されている以外、第１の実施形態の糸収容具と同様に構成されている。同一部分には、同一符号を付して、その説明を省略する。
【００２５】
案内部材１６は、周壁６の内周面と相似の外周面を持つもので、第２の実施形態では、周壁６の円形の内周面に対応して、円形の外周面を持つ円柱状に形成されている。その外周面と、周壁６の内周面との間に巻かれた釣り糸１４の各環が位置するように、各環の内側に、各環に接近して配置されている。
【００２６】
このように構成すると、釣り糸１４を解くとき、釣り糸１４は、案内部材１６の外周面に沿って蓋８側に引き出されるので、まだ解かれていない釣り糸１４の各環と絡むことを確実に防止できる。また、釣り糸１４の号数が小さい場合には、案内部材１６は、釣り糸１４の各環の形状が崩れることを防止する。
【００２７】
第３の実施形態の糸収容具を図４に示す。この糸収容具では、本体部２ａの周壁６ａは、底壁４の周囲から上端に向かうに従って、内周面の径が徐々に増加するように逆円錐台状に形成されている。他の構成は、第１の実施形態と同一であるので、同一部分には、同一符号を付して、説明を省略する。
【００２８】
このように構成すると、例えば底壁４の内径を、第１の実施形態の底壁４の内径と同一とすれば、周壁６ａの内周壁の上端の径は、第１の実施形態の周壁６の上端の径よりも大きくなる。従って、上端に向かうほど、巻かれた釣り糸１４の環の径は大きくなるので、第１の実施形態の糸収容具よりも長い釣り糸１４を収容することができる。
【００２９】
本発明の第４の実施形態の糸収容具を図５に示す。この糸収容具では、本体部２ｂの周壁６ｂは、底壁４ａの周囲から上端に向かうに従って、内周面の径が徐々に減少するように形成されている。他の構成は、第１の実施形態と同一であるので、同一部分には、同一符号を付して、説明を省略する。
【００３０】
このように構成すると、例えば周壁６ｂの上端の内径を、第１の実施形態の周壁６の上端の内径と同一とすれば、周壁６ｂの内周壁の下端の内径（底壁４ａの径）は、第１の実施形態の底壁４の径よりも大きくなる。従って、底壁４ａに近い位置ほど、巻かれた釣り糸１４の環の径は大きくなるので、第１の実施形態の糸収容具よりも長い釣り糸１４を収容することができる。
【００３１】
本発明の第５の実施形態の糸収容具を図６に示す。この糸収容具では、釣り糸１４ａが、多重に、例えば２層に巻回されている以外、第１の実施形態の糸収容具と同様に構成されている。同等部分には同一符号を付して、その説明を省略する。この糸収容具のように、多重に釣り糸１４ａを巻回すると、糸収容具に収容される釣り糸１４ａの長さを長くすることができる。
【００３２】
本発明の第６の実施形態の糸収容具を図７に示す。この糸収容具では、周壁６の内面に溝１８が形成されている以外、第１の実施形態の糸収容具と同様に構成されている。同一部分には同一符号を付して、説明を省略する。溝１８は複数の条からなり、各条は周壁６の内周面に沿って形成され、各条が周壁６の下端から上端まで、上下方向に沿って互いに接触して形成されている。溝１８の各条は、糸収容具に収容する釣糸の縦断面の半周分に接触するようにそれぞれ形成されている。なお、各条は互いに独立するものとしたが、らせん状に形成した１条の溝を周壁６の下端から上端まで形成することもできる。
【００３３】
このように構成すると、釣り糸１４を周壁６の内周面に巻くとき、溝１８に沿って巻くことができるので、釣り糸１４を巻きやすく、また巻いた後でも、釣り糸１４の各環は、それぞれ溝１８内に位置を規制されて収容されているので、周壁６の内周面に接触した状態を維持しやすい。
【００３４】
本発明の第７の実施形態の糸収容具を図８に示す。この糸収容具では、第１の実施形態の蓋８を除去し、本体部２を、別の箱２０に収容した以外、第１の実施形態の糸収容具と同様に構成されている。同等部分には同一符号を付して、その説明を省略する。箱２０は、本体部２の底壁４が内面に接触する底壁２２を有し、底壁２２の周囲から本体部２の周壁６の外周面に内周面が接触して、本体部２の上端よりも上方まで伸びた周壁２４を有し、その上端が開口され、その開口を閉じる蓋２６を有している。このように構成すると、本体部２に蓋８を設ける必要が無く、本体部２の製造が容易になるし、例えば本体部２に巻かれた釣り糸１４を全て使用した場合、本体部２を箱２０から除去し、釣り糸１４が巻かれている新しい本体部２を箱２０に収容して使用することができる。即ち、交換型の糸収容具として使用することができる。
【００３５】
図９に本発明の第８の実施形態の糸収容具を示す。この糸収容具では、蓋８が円環状部８ａと、ドーム状部８ｃとから構成されている。さらに、本体部２内に係止部材２２が配置されている。係止部材２２は、例えば本体部２の内周面の形状に対応した円形の横断面を持つ円筒状に形成され、その外周面が糸１４の各環から離れて位置するように底壁４に着脱自在に取り付けられている。他の構成は、第１の実施形態と同様である。同等部分には同一符号を付して、説明を省略する。係止部材２２を設けると、例えば糸１４を周壁６の内周面に巻いている途中で、糸１４が周壁６の内周面から外れて、例えば上方に傾いたとしても、図９に示すように係止部材２２に接触して、それ以上糸１４が傾くことを防止でき、元の周壁６の内周面に接触した状態に戻しやすく、残りの糸を巻く際に傾いた糸と絡みにくくなる。係止部材２２は、着脱自在であるので、周壁６の内周面に沿って巻き終わった後には、除去できる。また、糸１４をまき終わった後も係止部材２２を残しておくと、既に巻き終わった糸１４の一部が何らかの原因で周壁６の内周面から外れて傾いたときにも係止部材２２に接触してそれ以上傾くことがないので、巻き終わった糸１４が絡みにくくなる。
【００３６】
図１０に、本発明の第９の実施形態の糸収容具を示す。この実施形態の糸収容具では、蓋８の形状が異なる以外、第１の実施形態の糸収容具と同様に構成されている。同等部分には同一符号を付して、説明を省略する。蓋８は、円環状部８ａと半球状のドーム状部８ｄとからなり、このドーム状部８ｄの側方に水平に糸引き出し口１２ａが形成されている。即ち、本体部２の長さ方向である上下方向と交差する水平方向に沿ってドーム状部８ｄの外周面から側方に突出部２４が形成され、この突出部２４内にドーム状部８ｄ内外を連通するように水平に糸引き出し口１２ａが形成されている。その口径は、糸１４に対応したものである。このように構成すると、糸引き出し口１２ａから水平に糸１４を引き出すと、本体部２内で糸１４の環は、その周に沿って解かれることとなり、上方に引き出される場合よりも速やかに環が解かれ、容易に糸１４を引き出すことができる。
【００３７】
図１１に、本発明の第１０の実施形態の糸収容具を示す。この実施形態の糸収容具では、周壁６の内周面全域に、例えばスポンジのような低反発部材２６が内周面に合致するように取り付けられ、この低反発部材２６に糸１４が接触した状態で巻かれている以外、第１の実施形態の糸収容具と同様に構成されている。同等部分には同一符号を付して、説明を省略する。このように構成すると、例えば号数が大きく反発性が大きな糸１４を巻いた場合に、糸１４の反発力が大きくて、各環の径が大きくなるように膨張しても、剛性の大きい周壁６とは直接に接触せず、低反発部材２６に接触しているので、糸１４に対して大きな反発力が加わらず、糸１４を解いたとき、より巻き癖がつかない。
【００３８】
図１２（ａ）、（ｂ）に本発明の第１１の実施形態の糸収容具を示す。この糸収容具では、本体部２ｃの内周面の横断面形状が瓢箪型に形成され、それに伴い蓋８ｃも瓢箪型に形成されている以外、第１の実施形態と同様に構成されている。同等部分には、同一符号を付して、説明を省略する。このように構成すると、本体部２ｃの周壁の横断面における内周面の周長を長くすることができるので、長さの長い釣り糸１４を収容することができる。
【００３９】
なお、図１３（ａ）、（ｂ）、（ｃ）に示すような８の字型、楕円型、小判型の横断面を持つ本体部２ｄ、２ｅ、２ｆに形成することもできる。この場合でも、本体部の周壁の横断面における内周面の周長を長くすることができるので、長さの長い釣り糸を収容することができる。
【００４０】
上記の各実施形態では、釣り糸を収容したが、これに限ったものではなく、他の糸、例えば手術用の糸やガットを収容することもできる。また、上記の各実施形態では、本体部は、底壁と周壁とを一体に形成したものを示したが、周壁を両端が開口した筒状に形成し、周壁と別個に形成した底壁を蓋部材と同様に周壁に取り付けてもよい。また、第８の実施形態では、係止部材２２は、周壁６の内周面に対応した形状としたが、糸を係止することができるなら、他の形状とすることもできる。また第９の実施形態では、糸の引き出し口を蓋に設けたが、本体部に設けることもできるし、筒状部２４を除去することもできるし、引き出し口は本体部の上下方向に交差する方向であれば、水平でなくてもよく、上方または下方に傾斜していてもよい。また、上記の各実施形態では、本体部の内周面形状を、円、瓢箪、８の字、楕円、小判型としたが、他の閉曲面形状とすることもできる。また、瓢箪、８の字、楕円、小判型のような円以外の閉曲面の内周面を持つ本体部に対して、第２の実施形態のように内部に案内部材を設けることもできるし、第３及び第４の実施形態のように内周面の大きさを上端部側に向かうに従って大きくしたり、小さくしたりすることもできるし、第５の実施形態のように糸を多重に巻くこともできるし、第６の実施形態のように本体部の内周面に溝を形成することもできるし、第７の実施形態のように本体部に蓋を設けずに、別の箱に本体を収容することもできるし、第８の実施形態のように係止部材を設けることもできるし、第９の実施形態のように糸の引き出し口を水平に設けることもできるし、第１０の実施形態のように本体部の周壁の内周面に低反発部材を設けることもできる。また、瓢箪、８の字、楕円、小判型のような円以外の閉曲面の内周面を持つ本体部に対して第２乃至第１０の実施形態を適宜組み合わせた構成とすることもできる。
【符号の説明】
【００４１】
２  本体部
１４  釣り糸
【図１】
2019062875.tif 000003
【図２】
2019062875.tif 000004
【図３】
2019062875.tif 000005
【図４】
2019062875.tif 000006
【図５】
2019062875.tif 000007
【図６】
2019062875.tif 000008
【図７】
2019062875.tif 000009
【図８】
2019062875.tif 000010
【図９】
2019062875.tif 000011
【図１０】
2019062875.tif 000012
【図１１】
2019062875.tif 000013
【図１２】
2019062875.tif 000014
【図１３】
2019062875.tif 000015